(57)【要約】【課題】本発明は、有・無線インターネットを利用して愛玩動物を観察することができ、また、愛玩動物を観察しながら遠隔地で餌の自動供給を制御し得る家庭用一体型愛玩動物インターネットフードフィーディング装置およびこれを利用したインターネット上でのフードフィーディングシステムを提供する。【解決手段】そのフードフィーディングシステムは、有・無線インターネット網を通じてフードフィーディング装置に接続され、PCカメラまたはデジタルカムコーダーおよび自動開閉ドアの制御命令を伝送するように構成されるコンピューター、移動通信端末機、PDAなどの遠隔地システム；および餌を食べられるよう自動開閉ドアを通じてフードタンクから餌が供給される餌容器と、少なくとも愛玩動物が餌容器に接近したときに愛玩動物の映像を映すためのPCカメラまたはデジタルカムコーダーと、インターネット網に接続され遠隔地システムから制御命令を伝送受けてドア駆動部を介して自動開閉ドアを開閉させ、前記PCカメラまたはデジタルカムコーダーを制御して映像を映し、その有・無線インターネット網を通じて遠隔地システムに映された映像を伝送するように構成されたコンピューターまたは制御システムを備えたフードフィーディング装置を含み構成されたことを特徴とする。【選択図】図１
2004538011.tif 000002
【特許請求の範囲】
【請求項１】
遠隔地で有・無線インターネット網を利用して家庭内の愛玩動物を観察しながら餌を供給するためのインターネット上でのフードフィーディングシステムにおいて：
有・無線インターネット網を通じてフードフィーディング装置のコンピューターまたは制御システムに接続され、ウェッブブラウザーを通じて少なくともPCカメラまたはデジタルカムコーダーおよび自動開閉ドアの制御命令を伝送するように構成されるコンピューター、移動通信端末機、PDAなどの遠隔地システム；および
多量の餌などを貯蔵するフードタンクと、愛玩動物が餌を食べられるよう自動開閉ドアを通じてフードタンクから餌が供給される餌容器と、少なくとも愛玩動物が餌容器に接近したときに愛玩動物の映像を映すためのPCカメラまたはデジタルカムコーダーと、インターネット網に接続され遠隔地システムからの制御命令を受けてドア駆動部を介して自動開閉ドアを開閉させ、前記PCカメラまたはデジタルカムコーダーを制御して映像を映し、その有・無線インターネット網を通じて遠隔地システムに映された映像を伝送するように構成されたコンピューターまたは制御システムを備えた多数の家庭用一体型愛玩動物インターネットフードフィーディング装置を含み構成されることを特徴とする、家庭用一体型愛玩動物インターネットフードフィーディング装置を利用したインターネット上での愛玩動物フードフィーディングシステム。
【請求項２】
遠隔地で有・無線インターネット網を利用して家庭内の愛玩動物を観察しながら餌を供給するためのインターネット上でのフードフィーディングシステムにおいて：
有・無線インターネット網を通じてフードフィーディング装置のコンピューターまたは制御システムに接続され、ウェッブブラウザーを通じて少なくともPCカメラまたはデジタルカムコーダーおよび自動開閉ドアの制御命令を伝送するように構成されるウェッブサーバーシステム；
前記ウェッブサーバーシステムに接続されそのウェッブサーバーシステムを通じてフードフィーディング装置のコンピューターまたは制御システムに少なくともPCカメラまたはデジタルカムコーダーおよび自動開閉ドアの制御命令の伝送を要求するためのコンピューター、移動通信端末機、PDAなどの遠隔地システム；および
多量の餌などを貯蔵するフードタンクと、愛玩動物が餌を食べられるよう自動開閉ドアを通じてフードタンクから餌が供給される餌容器と、少なくとも愛玩動物が餌容器に接近したときに愛玩動物の映像を映すためのPCカメラまたはデジタルカムコーダーと、インターネット網に接続され遠隔地システムまたはウェッブサーバーシステムからの制御命令を受けてドア駆動部を介して自動開閉ドアを開閉させ、前記PCカメラまたはデジタルカムコーダーを制御して映像を映し、そのインターネット網を通じて遠隔地システムまたはウェッブサーバーシステムに映された映像を伝送するように構成されたコンピューターまたは制御システムを備えた家庭用一体型愛玩動物インターネットフードフィーディング装置を含み構成されることを特徴とする、家庭用一体型愛玩動物インターネットフードフィーディング装置を利用したインターネット上での愛玩動物フードフィーディングシステム。
【請求項３】
多量の餌などを貯蔵するフードタンクと、愛玩動物が餌を食べられるよう自動開閉ドアを通じてフードタンクから餌が供給される餌容器を含み構成される、愛玩動物に餌を自動で供給するための愛玩動物フードフィーディング装置において：
少なくとも愛玩動物が餌容器に接近したときに愛玩動物の映像を映すよう前記餌容器の上部に設置されるPCカメラまたはデジタルカムコーダーと、ランカードを介してインターネット網に接続され、遠隔地システムまたはウェッブサーバーシステムから制御命令を受けてドア駆動部を介して自動開閉ドアを開閉させ、前記PCカメラまたはデジタルカムコーダーを制御して映像を映し、インターネット網を通じて遠隔地システムまたはウェッブサーバーシステムに前記映された映像を伝送するように構成された制御システムを一体に追加具備して構成することにより、遠隔地でインターネット網を利用して家庭の愛玩動物を観察し得ると共に餌を自動で供給し得ることを特徴とする、家庭用一体型愛玩動物インターネットフードフィーディング装置。
【請求項４】
前記制御システムが分離された外部のコンピューターである場合、そのコンピューターにUSBポートなどを通じて前記PCカメラまたはデジタルカムコーダーが連結されて構成され、そのコンピューターでインターネット網に接続され遠隔地システムから制御命令を受けて所定のプログラムにより前記PCカメラまたはデジタルカムコーダーを作動させ、そのPCカメラまたはデジタルカムコーダーで映された映像を読取って遠隔地システムまたはウェーブサーバーシステムに映像を伝送するように構成され、また、前記コンピューターで遠隔地システムまたはウェーブサーバーシステムから制御命令を受けてコンピューターにシリアルポートなどを通じて連結されるドア駆動部を介して自動開閉ドアを開閉させるように構成されたことを特徴とする、請求項３記載の家庭用一体型愛玩動物インターネットフードフィーディング装置。
【発明の詳細な説明】
【技術分野】
【０００１】
本発明は、家庭用一体型愛玩動物インターネットフードフィーディング装置およびこれを利用したインターネット上での愛玩動物フードフィーディングシステムに関し、より詳細には有・無線インターネットを利用して愛玩動物を観察することができ、また、愛玩動物を観察しながら遠隔地で餌の自動供給を制御することができるものに関する。
【背景技術】
【０００２】
【特許文献１】
韓国実用新案公開番号第２０００―０００７２５１号（公開日付：２０００年４月２５日，出願番号：２０‐１９９８‐００１８６４４号)
【０００３】
最近、上記特許文献で公開された愛玩動物飼料自動配食装置によれば、愛玩犬または猫などのような愛玩動物を飼育する家庭で外出・休暇・旅行または名節などに因り長期間家を空けるとき、愛玩動物に餌を与えることができないという問題を解決するために、飼育者が設定したデータにより愛玩動物が食べられるように器や容器に自動で飼料または水を供給し得る愛玩動物飼料自動配食装置を提供している。この愛玩動物飼料自動配食装置は、その主な構成は、AC110V／AC220V電源を直流(DC)に整流して電源を供給する電源部と、飼料の量と水の量および予約時間を設定し得る外部操作パネル部と、その外部操作パネル部で操作されるデータ信号を中央コントロール回路部とメモリ回路部にインターフェースするインターフェース回路部と、そのインターフェース回路部を通じて伝送される情報によりメモリ回路部に既設定されたデータを読み出して飼料と水を排出するように駆動されるソレノイド駆動回路部および設定される予約時間をディスプレイさせる表示部を制御する中央コントロール回路部と、前記駆動されるソレノイド駆動回路部により飼料を排出する飼料排出部と水を排出する水排出部から夫々排出される飼料と水の量を感知して前記中央コントロール回路部にその感知信号を伝送する飼料と水の量感知部で構成されることを特徴とする。
【発明の開示】
【発明が解決しようとする課題】
【０００４】
しかし、前記のような種類の自動配食装置においては、特に長期間外出したときには愛玩動物の状態を分からないため、無理に配食がなされることもあり、また、愛玩動物が無事に居るのかを確認できないという問題がある。
【０００５】
従って、本発明はこのような問題を解決するためのもので、有・無線インターネットを利用して愛玩動物の現在状態を映像で観察することができ、また、愛玩動物の状態を観察しながら遠隔地で餌の自動供給を制御し得る家庭用一体型愛玩動物インターネットフードフィーディング装置およびこれを利用したインターネット上でのフードフィーディングシステムを提供することにその目的がある。
【課題を解決するための手段】
【０００６】
このような目的を達成するために本発明の一実施例によるインターネット上でのフードフィーディングシステムは、遠隔地で有・無線インターネット網を利用して家庭内の愛玩動物を観察しながら餌を供給するための家庭用一体型愛玩動物インターネットフードフィーディング装置を利用したインターネット上でのフードフィーディングシステムにおいて；有・無線インターネット網を通じてフードフィーディング装置のコンピューターまたは制御システムに接続され、ウェッブブライザーを通じて少なくともPCカメラまたはデジタルカムコーダーおよび自動開閉ドアの制御命令を伝送するように構成されるコンピューター、移動通信端末機、PDAなどの遠隔地システム；および多量の餌などを貯蔵するフードタンクと、愛玩動物が餌を食べられるように自動開閉ドアを通じてフードタンクから餌が供給される餌容器と、少なくとも愛玩動物が餌容器に接近したときに愛玩動物の映像を映すためのPCカメラまたはデジタルカムコーダーと、インターネット網に接続され遠隔地システムからの制御命令を受けてドア駆動部を介して自動開閉ドアを開閉させ、前記PCカメラまたはデジタルカムコーダーを制御して映像を映し、その有・無線インターネット網を通じて遠隔地システムに映された映像を伝送するように構成されたコンピューターまたは制御システムを備えた家庭用一体型愛玩動物インターネットフードフィーディング装置を含み構成されることを特徴とする。
【０００７】
また、本発明の別の実施例による家庭用一体型愛玩動物インターネットフードフィーディング装置は、多量の餌などを貯蔵するフードタンクと、愛玩動物が餌を食べられるように自動開閉ドアを通じてフードタンクから餌が供給される餌容器を含み構成される、愛玩動物に餌を自動で供給するための愛玩動物フードフィーディング装置において；少なくとも愛玩動物が餌容器に接近したときに愛玩動物の映像を映すよう前記餌容器の上部に設置されるPCカメラまたはデジタルカムコーダーと、ランカードを介してインターネット網に接続され、遠隔地システムまたはウェッブサーバーシステムからの制御命令を受けてドア駆動部を介して自動開閉ドアを開閉させ、前記PCカメラまたはデジタルカムコーダーを制御して映像を映し、インターネット網を通じて遠隔地システムまたはウェッブサーバーシステムで前記映された映像を伝送するように構成された制御システムを一体に追加具備して構成されることにより、遠隔地でインターネット網を利用して家庭の愛玩動物を観察し得ると共に餌を自動で供給し得ることを特徴とする。
【発明を実施するための最良の形態】
【０００８】
以下、添付図面を参照して本発明の望ましい実施例を詳細に説明する。
【０００９】
図１には本発明の一実施例によるインターネット上でのフードフィーディングシステムの構成がブロック図および詳細図で図示されており、図２には図１のフードフィーディングシステムの構成例が具体的なブロック図で図示されており、図３にはインターネット上でのフードフィーディングシステムの制御のためのフロー図が図示されている。
【００１０】
図１で本発明の一実施例によるインターネット上でのフードフィーディングシステムは、有・無線インターネット網10を通じて接続されるコンピューター、移動通信端末機、PDAなどの遠隔地システム30とフードフィーディング装置50，60を含み構成されるが、ウェッブサーバーシステム20を追加に含み構成されることもできる。
【００１１】
前記遠隔地システム30は、インターネット網10を通じて直接図２または図４の家庭用一体型愛玩動物インターネットフードフィーディング装置50，60のコンピューター51または制御システム70に接続され、ウェッブブラウザーを通じて少なくともPCカメラまたはデジタルカムコーダー53，63および自動開閉ドア56，66の制御命令を伝送するように構成されることもでき、ウェッブサーバーシステム20を含み構成された場合にはそのウェッブサーバーシステム20でインターネット網10を通じてフードフィーディング装置50，60のコンピューター51または制御システム70に接続され、ウェッブブラウザーを通じて少なくともPCカメラまたはデジタルカムコーダー53，63および自動開閉ドア56，66の制御命令を伝送するように構成され、この場合、遠隔地システム30では前記ウェッブサーバーシステム20に接続しそのウェッブサーバーシステム20を通じてフードフィーディング装置50，60のコンピューター51または制御システム70に少なくともPCカメラまたはデジタルカムコーダー53，63および自動開閉ドア56，66の制御命令の伝送を要求することもできるように構成することもできる。
【００１２】
前記フードフィーディング装置50は、図２に図示された通り、コンピューター51、フードタンク55、餌容器57、PCカメラまたはデジタルカムコーダー53を含み構成されることもできる。
【００１３】
そのフードタンク55には多量の餌が貯蔵され、自動開閉ドア56を通じて餌が餌容器57へ供給されるように構成され、その自動開閉ドア56はコンピューター51によりドア駆動部52を通じて開閉が制御されるように構成される。このような自動開閉ドア56は従来に広く知られたソレノイド、モーターなどを含み構成されることもできる。必要な電源は電源部54から供給される。
【００１４】
また、自動開閉ドア56を遠隔地システム30で駆動させるためには、韓国特許出願公開第2001−28882号(公開日付：2001年4月6日、出願番号：1999−41381号)に開示された電気機器監視および制御システムが採用されることもできる。その電気機器監視および制御システムは、低廉な費用でネットワークポートがない電気機器を包括するネットワークを構築し得るようにしてくれ、住宅内では勿論住宅外部から宅内にある各電気機器の動作状態を把握することができ、また、各機器の動作を制御することができるようにしてくれ、家庭以外の業務用建物でも適用することができるものであって、制御ユニットと複数の赤外線受信部および赤外線送信部を含み、リモコン信号を他の部屋に中継し得るように構成され、制御ユニットはインターネットを通じて外部のホストに接続されることができ、ホストは通信網を経由して制御ユニットを通じて複数の電気機器のうち少なくとも一部の動作を遠隔制御し、複数の電気機器のうち少なくとも一部の動作状態を監視することができるようになり、また、制御ユニットは家庭や業務用建物内に構築されたローカルランに接続されることができるが、この際、ローカルランには赤外線受信部および赤外線送信部が追加にインターフェースされることもできるようになる。
【００１５】
さらに、前記PCカメラまたはデジタルカムコーダー53は、少なくとも愛玩動物が餌容器57に接近したときに愛玩動物の映像を映すことができるように設置され、フードタンク55と分離して設置されることもでき、前記コンピューター51にUSBポートなどを通じて連結して構成され、インターネット網10に接続され遠隔地システム30からの制御命令を受けて所定のプログラムによりPCカメラまたはデジタルカムコーダー53を作動させ、そのPCカメラまたはデジタルカムコーダー53で映した映像を読取って遠隔地システム30またはウェッブサーバーシステム20に映像を伝送するように構成される。
【００１６】
前記コンピューター51は、インターネット10に接続されウェッブサーバーシステム20または直接遠隔地システム30から制御命令を受けてドア駆動部52を介して自動開閉ドア56を開閉させ、前記PCカメラまたはデジタルカムコーダー53を制御して映像を映し、インターネット網10を通じてウェッブサーバーシステム20または遠隔地システム30に映された映像を伝送するように構成される。
【００１７】
その具体的なインターネット上の遠隔デジタルカメラ制御システムおよびその制御方法は、特許出願公開第2000−24774号(公開日付：2000年5月6日、出願番号：第1998−41463号)の構成が採用されることもできる。そのインターネット上の遠隔デジタルカメラ制御システムおよびその制御方法を簡略に説明すると、ファイルシステムインターフェース部を通じて使用者インターフェース用HTML(Hyper  Text  Mark‐up  Language)文書およびジャバアプリットに接近するための一般HTTP(Hyper  Text  Transfer  Protocol)サーバー部と、IEEE1394(Institute  of  Electrical  and  Electronics  Engineers  Standard)インターフェース部を通じてIEEE1394ホストアダプターに連結されたデジタルカメラを制御するためのデジタルカメラ制御用HTTPサーバー部と、遠隔地システムからインターネットおよびインターネットアダプターを通じて入ってきた一般HTTPパケットおよびデジタルカメラ制御用パケットを指定されたHTTPサーバーに分配するためのTCP／IP(Transport  Control  Protocol／Internet  Protocol)インターフェース部を含み構成されるのである。
【００１８】
また、愛玩動物の映像映しを保障し得るよう中間にコーリング信号音を発生させるために図６のコーリング部と図５のスピーカーを含み構成されることもできる。
【００１９】
また、本発明の別の実施例による愛玩動物に餌を自動で供給するための画像伝送装置を備えた愛玩動物フードフィーディング装置は、図４に図示された通り、制御システム70がフードフィーディング装置60に内蔵されて構成される。図４の実施例において、フードタンク65、餌容器67およびPCカメラまたはデジタルカムコーダー63の構成は、制御システム７０を除いて図２におけるのと類似であるが、制御システム70は、図２のコンピューター51のうち必要機能だけを備えることによりさらにコンパクトに構成することができる。
【００２０】
即ち、前記制御システム７０は、通信インターフェースであるランカード61aを介してインターネット網10に接続され、遠隔地システム30またはウェッブサーバーシステム20から制御命令を受けてドア駆動部62を介して自動開閉ドア66を開閉させ、前記PCカメラまたはデジタルカムコーダー63を制御して映像を映し、インターネット網10を通じて遠隔地システム30またはウェッブサーバーシステム20に前記映された映像を伝送するに必要な応用プログラムだけがOSシステムと共に搭載されたマイコン61を含み構成され、電源部64から電源が供給される。
【００２１】
前記インターネット上でのフードフィーディングシステムの構成による作用においては、図１乃至図４に一例として図示した通り、先ず、フードフィーディング装置50，60のコンピューター51または制御システム70がインターネット網10に常に接続されている状態にあって、遠隔地システム30がインターネット網10を通じて直接フードフィーディング装置50，60のコンピューター51または制御システム70に接続され、またはウェッブサーバーシステム20のポータルサイト21に接続されている。ウェッブサーバーシステム20に接続したときにはポータルサイト21で使用者毎に固有IDを入力し、映像伝送要求ボタンをクリックすることにより映像伝送制御信号がフードフィーディング装置50，60に伝送され、そのフードフィーディング装置50，60のコンピューター51または制御システム70では映像伝送のためにPCカメラまたはデジタルカムコーダー53，63を駆動し映像を映してコンピューター51または制御システム70に伝送し、そのコンピューター51または制御システム70では更に伝送された映像信号を遠隔地システム30またはウェッブサーバーシステム20に伝送する。図３に示したように、映像が撮影される前に愛玩動物の撮影を確実にするために愛玩動物のコーリング音を発生させることもできる。
【００２２】
このようにすることにより、遠隔地でも愛玩動物を観察することができるようになり、その後、次の段階で餌が必要か否か判断し、必要な場合は餌供給ボタンをクリックすると、自動開閉ドア56，66の開放制御信号が伝送されることにより、フードフィーディング装置50，60でドア駆動部52，62を通じて自動開閉ドア56，66が開かれて餌をフードタンク55，65から餌容器57，67に供給する。この際、供給量は一回のクリックで一定量が供給されるよう自動開閉ドア56，66が所定時間開かれた後、閉じられるように設定されることもでき、この場合にはクリック回数によって供給量が決定される。また、供給量を設定し得るように構成することもできる。
【００２３】
また、図３の前記フロー図は一例に過ぎないもので、当業者であれば多様に変化させることができ、また、前記例では飼料だけを供給することに限定して説明したが、水を供給することにも適用されるのみならず、多様な飼料・水などのためにフードタンク55，65を一つ以上設置して夫々分離されて制御できるように構成することもできる。
【００２４】
次に、図５には本発明のまた別の一実施例による家庭用一体型愛玩動物インターネットフードフィーディング装置の構成がブロック図で図示されている。
【００２５】
図５において、フードフィーディング装置80は、PCカメラまたはデジタルカムコーダー83で愛玩動物の映像を映してインターネット網10を通じてコンピューター、移動通信端末機、PDAなどの遠隔地システム30に圧縮・伝送することができ、インターネット網10を通じてコンピューター、移動通信端末機、PDAなどの遠隔地システム30から愛玩動物をコーリングし自動開閉ドア用モーター86を制御して餌などを供給し得るようビデオ／ネットワークボード81上にはCPU91、RS232インターフェース92、インターネットインターフェース93、ラム94、フラッシュロム95、ビデオインコーダー96およびDCレギュレーター84bを備え、外部機器制御／パワー供給ボード82上にはDCレギュレーター84a、RS232Cインターフラッター97およびスピーカー98を備える。前記フードフィーディング装置80の外部には家庭での220Vなどを12Vにダウンして入力するようDCアダプター84を含む。PCカメラまたはデジタルカムコーダー83がアナログである場合、A／Dコンバーターを経てビデオインコーダー96に入力される。
【００２６】
図６において、図５のインターネットフードフィーディング装置のためのソフトウェアは、ビデオサーバー75、コントロールサーバー79、フィーディング部77およびコーリング部78を含み構成される。このように構成されるソフトウェアは初期化段階で固定IPや動的IP(DHCP，ｘDSL)のような適合なインターネット環境によってインターネットに接続し、割り当てられたIPを管理用ウェッブサーバーシステム20のDBにリポーティングする。これにより使用者対応のための製品内のHTTPd基盤のコントロールサーバー79とTCP基盤のビデオサーバー75をランチングする。また、クライアントである遠隔地システム30では携帯電話／ウェッブを通じた使用者達がDBで製品の位置IPを得て製品に接近することができるようになり、使用者はウェッブサーバーシステム20或は携帯電話を通じてフードフィーディング装置に接近する。
【００２７】
このような構成のフードフィーディング装置80は、インターネット網10を通じて使用者の命令を受けてコントロールサーバー79によりフードフィーディング装置80の機能を遂行するようになり、ビデオサーバー75でPCカメラまたはデジタルカムコーダー83からのイメージをWavelet圧縮して使用者達に伝送してやる。そのコントロールサーバー79によりフィーディング部77は、RS232Cインタープリッター97およびRS232Cインタープリッター97を通じて定義されたプロトコルによって二つの自動開閉ドア用モーター86を操作し、コーリング部78はメロディー音などをスピーカー98を通じて出力するようになる。HTTPdサーバー基盤の使用者環境設定(Configuration)が容易に構築されることができる。
【００２８】
前記構成のフードフィーディング装置の作動は、初期化段階でIP割当が成されるようになり、使用者セッティングによる固定IP或は動的IPによって製品（フードフィーディング装置）のIPを得るようになる。動的IPサービスであるケーブルモデム(DHCP)およびADSL(ｘDSL)プロトコルがポーティングされてIP割当が可能である。IPおよび製品(フードフィーディング装置)情報報告段階では、製品がブーティングされると製品の割り当てられたIPと製品のシリアル番号のような情報をウェッブサーバーシステム20の登録サーバーにリポーティングしてDBをアップデートする。これにより使用者の接近を可能にし、http：//somesite/some．cgi？SN＝PWABF000000＆IP＝192．168．0．22のようなURLにより接近することができるようになる。
【００２９】
その後、サーバーのランチング段階では、接近するクライアント(携帯電話、PCなど)のサービスのために製品操作および環境設定のためのHTTPd(TCP)基盤のコントロールサーバー79と映像サービスのためのTCP基盤のビデオサーバー75をランチングさせる。
【００３０】
図７にはPC上で接続するインターネットサービス過程を説明するためのブロック図が図示されている。図７において、製品がブーティングされるとHTTPdにダイナミックIPサーバー20aで製品、即ち、フードフィーディング装置のIPを登録し(段階１)、段階２で遠隔地システム30であるPCを通じて使用者がウェッブサーバーシステム20にログインすると、製品のシリアル番号で製品のIPに接近を試図する。段階３でビデオサーバー75はハードウェアインコーディングプロセッサーを利用してPCカメラまたはでデジタルカムコーダー83から入力受けた映像をWavelet圧縮する。また、段階４では使用者のクライアントにTCP基盤のビデオストリーム(Video  Stream)サービスをし、段階５でTCPに製品のモーター制御およびメロディー制御の命令を送る。
【００３１】
図８には移動通信端末機のインターネットサービス過程を説明するためのブロック図が図示されており、図８では、前述の通り、段階１でダイナミックIPサーバー20aを通じて製品IP登録段階を遂行した後、段階２でワッブ(WAB)サーバー20bに使用者認証を遂行し製品に接近すると、段階３でハードウェアインコーディングプロセッサーであるビデオインコーダー96を利用してPCカメラまたはデジタルカムコーダー83から入力受けだ映像をWavelet伝送する。その後、段階４ではリレーサーバー20cでSISイメージにフォーマット変換してワッブサーバー20bにアップローディングさせる。段階５では携帯ホンなどの遠隔地システム30でSISイメージをダウンローディングして愛玩動物の映像を観察することができ、段階６ではTCPで製品のモーター制御およびメロディー制御の命令を伝送して前記の通りコントロールサーバー79およびフィーディング部77またはコーリング部78を通じて自動開閉ドア用モーター86を制御して作動させるかまたはスピーカー98で所定のコーリング音などを出力することもできる。
【産業上の利用可能性】
【００３２】
以上詳細に説明したように、この発明によれば、一つの家庭用一体型愛玩動物インターネットフードフィーディング装置に、愛玩動物の撮像のための一つのカメラと餌供給のための一つの自動開閉ドア56，66を備えさせて制御する。これにより、インターネット網10を通じて愛玩動物を直接実時間に観察することができるため、外出などの場合にも心配なく、また、愛玩動物の状態を観察しながら遠隔地で餌の自動供給を制御することができるなどの効果がある。
【図面の簡単な説明】
【００３３】
【図１】本発明の一実施例によるインターネット上でのフードフィーディングシステムの構成を図示したブロック図である。
【図２】図１の家庭用一体型愛玩動物インターネットフードフィーディング装置の構成例を図示したブロック図である。
【図３】本発明の一実施例によるインターネット上でのフードフィーディングシステムの制御のためのフロー図である。
【図４】本発明の別の一実施例による家庭用一体型愛玩動物インターネットフードフィーディング装置の構成を図示したブロック図である。
【図５】本発明のまた別の一実施例による家庭用一体型愛玩動物インターネットフードフィーディング装置の構成を図示したブロック図である。
【図６】図５のインターネットフードフィーディング装置用ソフトウェアの構成を図示した詳細ブロック図である。
【図７】PC上で接続するインターネットサービス過程を説明するためのブロック図である。
【図８】移動通信端末機のインターネットサービス過程を説明するためのブロック図である。
【図１】
2004538011.tif 000003
【図２】
2004538011.tif 000004
【図３】
2004538011.tif 000005
【図４】
2004538011.tif 000006
【図５】
2004538011.tif 000007
【図６】
2004538011.tif 000008
【図７】
2004538011.tif 000009
【図８】
2004538011.tif 000010
【国際公開パンフレット】
2004538011.tif 000011
2004538011.tif 000012
2004538011.tif 000013
2004538011.tif 000014
2004538011.tif 000015
2004538011.tif 000016
2004538011.tif 000017
2004538011.tif 000018
2004538011.tif 000019
2004538011.tif 000020
2004538011.tif 000021
2004538011.tif 000022
2004538011.tif 000023
2004538011.tif 000024
2004538011.tif 000025
2004538011.tif 000026
2004538011.tif 000027
2004538011.tif 000028
2004538011.tif 000029
2004538011.tif 000030
2004538011.tif 000031
2004538011.tif 000032
2004538011.tif 000033
2004538011.tif 000034
2004538011.tif 000035
2004538011.tif 000036
2004538011.tif 000037
2004538011.tif 000038
2004538011.tif 000039
2004538011.tif 000040
2004538011.tif 000041
2004538011.tif 000042
2004538011.tif 000043
2004538011.tif 000044
【手続補正書】
【提出日】平成15年9月26日(2003.9.26)
【手続補正１】
【補正対象書類名】特許請求の範囲
【補正対象項目名】全文
【補正方法】変更
【補正の内容】
【特許請求の範囲】
【請求項１】
愛玩動物に餌を自動で供給し得るよう多量の餌などを貯蔵するフードタンクが内部に設置され、外部で愛玩動物が餌を食べられるよう自動開閉ドアを通じてフードタンクから餌が供給されるようにし得る餌容器が設置されて構成される愛玩動物フードフィーディング装置と、有・無線インターネット網を利用して遠隔地で餌を供給するためのインターネット上でのフードフィーディングシステムにおいて：
有・無線インターネット網を通じてフードフィーディング装置のコンピューターまたは制御システムに接続され、ウェッブブラウザーを通じて少なくともPCカメラまたはデジタルカムコーダーおよび自動開閉ドアの制御命令を伝送するように構成されるコンピューター、移動通信端末機、PDAなどの遠隔地システムを含み構成され；
前記愛玩動物フードフィーディング装置は、外部から少なくとも愛玩動物が餌容器に接近したときに愛玩動物の映像を映すよう餌容器の上部に設置されるPCカメラまたはデジタルカムコーダーと、インターネット網に接続され遠隔地システムから制御命令を受けてドア駆動部を介して自動開閉ドアを開閉させ、前記PCカメラまたはデジタルカムコーダーを制御して愛玩動物の映像を映し、その有・無線インターネット網を通じて遠隔地システムに映された映像を伝送するように構成されたコンピューターまたは制御システムを追加に備えることにより、家庭内の愛玩動物を観察しながら餌を供給し得る家庭用一体型愛玩動物インターネットフードフィーディング装置であることを特徴とする家庭用一体型愛玩動物インターネットフードフィーディング装置を利用したインターネット上での愛玩動物フードフィーディングシステム。
【請求項２】
愛玩動物に餌を自動で供給し得るよう多量の餌などを貯蔵するフードタンクが内部に設置され、外部で愛玩動物が餌を食べられるよう自動開閉ドアを通じてフードタンクから餌が供給されるようにし得る餌容器が設置されて構成される愛玩動物フードフィーディング装置と、有・無線インターネット網を利用して遠隔地で餌を供給するためのインターネット上でのフードフィーディングシステムにおいて：
有・無線インターネット網を通じてフードフィーディング装置のコンピューターまたは制御システムに接続され、ウェッブブラウザーを通じて少なくともPCカメラまたはデジタルカムコーダーおよび自動開閉ドアの制御命令を伝送するように構成されるウェッブサーバーシステム；および
前記ウェッブサーバーシステムに接続しそのウェッブサーバーシステムを通じてフードフィーディング装置のコンピューターまたは制御システムに少なくともPCカメラまたはデジタルカムコーダーおよび自動開閉ドアの制御命令の伝送を要求するためのコンピューター、移動通信端末機、PDAなどの遠隔地システムを含み構成され；そして、
前記愛玩動物フードフィーディング装置は、外部から少なくとも愛玩動物が餌容器に接近したときに愛玩動物の映像を映すよう餌容器の上部に設置されるPCカメラまたはデジタルカムコーダーと、インターネット網に接続され遠隔地システムから制御命令を受けてドア駆動部を介して自動開閉ドアを開閉させ、前記PCカメラまたはデジタルカムコーダーを制御して映像を映し、その有・無線インターネット網を通じて遠隔地システムに映された映像を伝送するように構成されたコンピューターまたは制御システムを追加に備えることにより、家庭内の愛玩動物を観察しながら餌を供給し得る家庭用一体型愛玩動物インターネットフードフィーディング装置であることを特徴とする家庭用一体型愛玩動物インターネットフードフィーディング装置を利用したインターネット上での愛玩動物フードフィーディングシステム。
【請求項３】
多量の餌などを貯蔵するフードタンクが内部に設置され、外部で愛玩動物が餌を食べられるよう自動開閉ドアを通じてフードタンクから餌が供給されるようにし得る餌容器が設置されて構成されることにより、愛玩動物に餌を自動で供給するための愛玩動物フードフィーディング装置において：
外部から少なくとも愛玩動物が餌容器に接近したときに愛玩動物の映像を映すようPCカメラまたはデジタルカムコーダーがフードフィーディング装置の餌容器の上部に設置され、自動開閉ドアを開閉させるためのドア駆動部とインターネット網に接続するためのランカードがフードフィーディング装置の内部に設置され、そのランカードを介してインターネット網に接続され遠隔地システムまたはウェッブサーバーシステムから制御命令を受けて前記ドア駆動部を介して自動開閉ドアを開閉させ、前記PCカメラまたはデジタルカムコーダーを制御して愛玩動物の映像を映し、インターネット網を通じて遠隔地システムまたはウェッブサーバーシステムに前記映された映像を伝送するように構成された制御システムをフードフィーディング装置の内部に含み構成されたことを特徴とする家庭用一体型愛玩動物インターネットフードフィーディング装置。
【請求項４】
多量の餌などを貯蔵するフードタンクが内部に設置され、外部で愛玩動物が餌を食べられるよう自動開閉ドアを通じてフードタンクから餌が供給されるようにし得る餌容器が設置されて構成されることにより、愛玩動物に餌を自動で供給するための愛玩動物フードフィーディング装置において：
外部から少なくとも愛玩動物が餌容器に接近したときに愛玩動物の映像を映すようPCカメラまたはデジタルカムコーダーがフードフィーディング装置の餌容器の上部に設置され、自動開閉ドアを開閉させるためのドア駆動部がフードフィーディング装置の内部に設置され、外部のコンピューターにUSBポートなどを通じて前記PCカメラまたはデジタルカムコーダーが連結されて構成され、そのコンピューターでインターネット網に接続され遠隔地システムから制御命令を受けて所定のプログラムにより前記PCカメラまたはデジタルカムコーダーを作動させ、そのPCカメラまたはデジタルカムコーダーで映した映像を読取って遠隔地システムまたはウェッブサーバーシステムに映像を伝送するように構成され、また、前記コンピューターで遠隔地システムまたはウェッブサーバーシステムから制御命令を受けてコンピューターにシリアルポートなどを通じて連結されるドア駆動部を介して自動開閉ドアを開閉させるように構成されたことを特徴とする家庭用一体型愛玩動物インターネットフードフィーディング装置。
【国際調査報告】
2004538011.tif 000045